(57)【特許請求の範囲】
【請求項１】
ユーザ機器（ＵＥ）によるワイヤレス通信のための方法において、
無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートする前記ＵＥの能力を決定することと、
帯域の組み合わせに対する、前記ＵＥの能力の第１の組み合わせを、前記ＲＡＮの基地局（ＢＳ）にシグナリングすることと、
前記帯域の組み合わせに対する、前記能力の第１の組み合わせとは異なる、前記ＵＥの能力の第２の組み合わせを、前記ＢＳにシグナリングすることと、
１つ以上の基準に基づいて、前記ＢＳと通信するのに使用する能力の特定の組み合わせを識別することとを含む方法。
【請求項２】
前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む請求項１記載の方法。
【請求項３】
前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す請求項２記載の方法。
【請求項４】
前記識別することは、前記能力の第１の組み合わせと前記能力の第２の組み合わせとのそれぞれにおける１つ以上の能力に対する、最小共通値を取ることを含む請求項１記載の方法。
【請求項５】
前記識別することは、前記能力の第１の組み合わせと前記能力の第２の組み合わせとのそれぞれにおける１つ以上の能力に対する、最大共通値を取ることを含む請求項１記載の方法。
【請求項６】
前記識別することは、決定論的なルールを適用して、前記能力の第１の組み合わせ、または、前記能力の第２の組み合わせ、のうちのいずれを使用するかを決定することを含む請求項１記載の方法。
【請求項７】
前記決定論的なルールは、前記能力の第１の組み合わせと前記能力の第２の組み合わせとがシグナリングされた順序に基づいている請求項６記載の方法。
【請求項８】
前記決定論的なルールは、前記能力の第１の組み合わせと前記能力の第２の組み合わせとがシグナリングされた順序とは無関係である、帯域組み合わせの順序付けされているリストに基づいている請求項６記載の方法。
【請求項９】
前記識別することは、使用する能力の組み合わせを示すシグナリングを、前記ＢＳから受信することを含む請求項１記載の方法。
【請求項１０】
前記受信したシグナリングは、前記能力の第１の組み合わせ、または、前記能力の第２の組み合わせのいずれか以外の、能力の異なる組み合わせを示す請求項９記載の方法。
【請求項１１】
基地局（ＢＳ）によるワイヤレス通信のための方法において、
帯域の組み合わせに対する、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするユーザ機器（ＵＥ）の能力の、第１の組み合わせを示すシグナリングを、前記ＵＥから受信することと、
前記帯域の組み合わせに対する、前記能力の第１の組み合わせとは異なる、ＲＡＮの異なる動作周波数帯域上での、ＭＩＭＯ機能またはＣｏＭＰ機能のうちの少なくとも１つをサポートする前記ＵＥの能力の、第２の組み合わせを示すシグナリングを、前記ＵＥから受信することと、
１つ以上の基準に基づいて、前記ＵＥと通信するのに使用する能力の特定の組み合わせを識別することとを含む方法。
【請求項１２】
前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む請求項１１記載の方法。
【請求項１３】
前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す請求項１２記載の方法。
【請求項１４】
前記識別することは、前記能力の第１の組み合わせと前記能力の第２の組み合わせとのそれぞれにおける１つ以上の能力に対する、最小共通値を取ることを含む請求項１１記載の方法。
【請求項１５】
前記識別することは、前記能力の第１の組み合わせと前記能力の第２の組み合わせとのそれぞれにおける１つ以上の能力に対する、最大共通値を取ることを含む請求項１１記載の方法。
【請求項１６】
前記識別することは、決定論的なルールを適用して、前記能力の第１の組み合わせ、または、前記能力の第２の組み合わせ、のうちのいずれを使用するかを決定することを含む請求項１１記載の方法。
【請求項１７】
前記決定論的なルールは、前記能力の第１の組み合わせと前記能力の第２の組み合わせとがシグナリングされた順序に基づいている請求項１６記載の方法。
【請求項１８】
前記決定論的なルールは、前記能力の第１の組み合わせと前記能力の第２の組み合わせとがシグナリングされた順序とは無関係である、帯域組み合わせの順序付けされているリストに基づいている請求項１６記載の方法。
【請求項１９】
使用する能力の組み合わせの表示を、前記ＵＥにシグナリングすることをさらに含む請求項１１記載の方法。
【請求項２０】
前記シグナリングは、前記能力の第１の組み合わせ、または、前記能力の第２の組み合わせのいずれか以外の、能力の異なる組み合わせを示す請求項１９記載の方法。
【請求項２１】
ユーザ機器（ＵＥ）によるワイヤレス通信のための装置において、
プロセッサと、
前記プロセッサと通信するメモリとを具備し、
前記メモリは、
無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートする前記ＵＥの能力を決定し、
帯域の組み合わせに対する、前記ＵＥの能力の第１の組み合わせを、前記ＲＡＮの基地局（ＢＳ）にシグナリングし、
前記帯域の組み合わせに対する、前記能力の第１の組み合わせとは異なる、前記ＵＥの能力の第２の組み合わせを、前記ＢＳにシグナリングし、
１つ以上の基準に基づいて、前記ＢＳと通信するのに使用する能力の特定の組み合わせを識別するように、前記プロセッサによって実行可能な命令を含む装置。
【請求項２２】
前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む請求項２１記載の装置。
【請求項２３】
前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す請求項２２記載の装置。
【請求項２４】
前記識別するための命令は、前記能力の第１の組み合わせと前記能力の第２の組み合わせとのそれぞれにおける１つ以上の能力に対する、最小共通値を取るように、前記プロセッサによって実行可能である請求項２１記載の装置。
【請求項２５】
前記識別するための命令は、前記能力の第１の組み合わせと前記能力の第２の組み合わせとのそれぞれにおける１つ以上の能力に対する、最大共通値を取るように、前記プロセッサによって実行可能である請求項２１記載の装置。
【請求項２６】
基地局（ＢＳ）によるワイヤレス通信のための装置において、
プロセッサと、
前記プロセッサと通信するメモリとを具備し、
前記メモリは、
帯域の組み合わせに対する、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするユーザ機器（ＵＥ）の能力の、第１の組み合わせを示すシグナリングを、前記ＵＥから受信し、
前記帯域の組み合わせに対する、前記能力の第１の組み合わせとは異なる、ＲＡＮの異なる動作周波数帯域上での、ＭＩＭＯ機能またはＣｏＭＰ機能のうちの少なくとも１つをサポートする前記ＵＥの能力の、第２の組み合わせを示すシグナリングを、前記ＵＥから受信し、
１つ以上の基準に基づいて、前記ＵＥと通信するのに使用する能力の特定の組み合わせを識別するように、前記プロセッサによって実行可能な命令を含む装置。
【請求項２７】
前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む請求項２６記載の装置。
【請求項２８】
前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す請求項２７記載の装置。
【請求項２９】
前記識別するための命令は、前記能力の第１の組み合わせと前記能力の第２の組み合わせとのそれぞれにおける１つ以上の能力に対する、最小共通値を取るように、前記プロセッサによって実行可能である請求項２６記載の装置。
【請求項３０】
前記識別するための命令は、前記能力の第１の組み合わせと前記能力の第２の組み合わせとのそれぞれにおける１つ以上の能力に対する、最大共通値を取るように、前記プロセッサによって実行可能である請求項２６記載の装置。
【発明の詳細な説明】
【米国特許法第１１９条の下での優先権の主張】
【０００１】
［０００１］
本出願は、その全体が参照によってここに組み込まれている、２０１３年１月１８日に出願された米国仮特許出願番号第６１／７５４，４０７号の利益を主張する。
【背景】
【０００２】
Ｉ．分野
［０００２］
本開示のある態様は、概してワイヤレス通信に関連しており、より詳細には、曖昧なユーザ機器（ＵＥ）能力シグナリングを解決することに関連している。
【０００３】
ＩＩ．背景
［０００３］
ワイヤレス通信システムは、音声、データなどのような、さまざまなタイプの通信コンテンツを提供するために幅広く展開されている。これらのシステムは、利用可能なシステムリソース（例えば、帯域幅、送信電力）を共有することによって複数のユーザとの通信をサポートすることが可能である、多元接続システムであるかもしれない。このような多元接続システムの例には、コード分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ）ロングタームエボリューション（ＬＴＥ）／ＬＴＥアドバンストシステム、および直交周波数分割多元接続（ＯＦＤＭＡ）システムが含まれる。
【０００４】
［０００４］
一般的に、ワイヤレス多元接続通信システムは、複数のワイヤレス端末に対する通信を同時にサポートすることができる。各端末は、フォワードリンクおよびリバースリンク上での送信を介して１つ以上の基地局と通信する。フォワードリンク（または、ダウンリンク）は基地局から端末への通信リンクのことを指し、リバースリンク（または、アップリンク）は端末から基地局への通信リンクのことを指す。この通信リンクは、単一入力単一出力システム、複数入力単一出力システム、または複数入力複数出力（ＭＩＭＯ）システムを介して確立されるかもしれない。
【０００５】
［０００５］
ワイヤレス通信ネットワークは、多数のワイヤレスデバイスに対して通信をサポートすることができる多数の基地局を含んでいるかもしれない。ワイヤレスデバイスには、ユーザ機器（ＵＥ）および遠隔デバイスが含まれる。ＵＥは、人間による直接の制御の下で動作するデバイスである。ＵＥのいくつかの例には、セルラ電話機、スマートフォン、パーソナルデジタルアシスタント（ＰＤＡ）、ワイヤレスモデム、ハンドヘルドデバイス、タブレット、ラップトップコンピュータ、ネットブック、スマートブック、ウルトラブックなどが含まれる。遠隔デバイスは、人間によって直接制御されることなく動作するデバイスである。遠隔デバイスのいくつかの例には、センサ、メータ、ロケーションタグなどが含まれる。遠隔デバイスは、基地局、別の遠隔デバイス、または他の何らかのエンティティと通信するかもしれない。マシンタイプ通信（ＭＴＣ）は、通信の少なくとも一端において、少なくとも１つの遠隔デバイスを伴う通信のことを指す。
【概要】
【０００６】
［０００６］
本開示のある態様は、概して、曖昧なユーザ機器（ＵＥ）能力シグナリングを解決することに関連している。
【０００７】
［０００７］
本開示のある態様は、ユーザ機器（ＵＥ）によるワイヤレス通信のための方法を提供している。方法は一般的に、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするＵＥの能力を決定することと、帯域の組み合わせに対する、ＵＥの能力の第１の組み合わせを、ＲＡＮの基地局（ＢＳ）にシグナリングすることと、帯域の組み合わせに対する、能力の第１の組み合わせとは異なる、能力の第２の組み合わせを、ＢＳにシグナリングすることと、１つ以上の基準に基づいて、ＢＳと通信するのに使用する能力の特定の組み合わせを識別することとを含んでいる。
【０００８】
［０００８］
本開示のある態様は、基地局（ＢＳ）によるワイヤレス通信のための方法を提供している。方法は一般的に、帯域の組み合わせに対する、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするユーザ機器（ＵＥ）の能力の、第１の組み合わせを示すシグナリングを、ＵＥから受信することと、帯域の組み合わせに対する、能力の第１の組み合わせとは異なる、ＲＡＮの異なる動作周波数帯域上での、ＭＩＭＯ機能またはＣｏＭＰ機能のうちの少なくとも１つをサポートするＵＥの能力の、第２の組み合わせを示すシグナリングを、ＵＥから受信することと、１つ以上の基準に基づいて、ＵＥと通信するのに使用する能力の特定の組み合わせを識別することとを含んでいる。
【０００９】
［０００９］
ある態様は、上記の方法の動作を実行するための、さまざまな装置およびプログラムプロダクトも提供している。
【図面の簡単な説明】
【００１０】
［００１０］
本開示の上記に記載した特徴を詳細に理解できるように、上記で簡単に要約したもののさらに詳細な説明は、態様を参照することによって与えられ、態様のうちのいくつかを添付した図面中で図示している。しかしながら、添付した図面は、この開示のある典型的な態様のみを図示しており、したがって、その範囲を限定していると見なされるべきものではないことに留意すべきである。説明は、他の等しく効果的な態様を許容するためである。  
【図１】［００１１］  図１は、本開示のある態様にしたがった、ワイヤレス通信ネットワークの例を概念的に図示しているブロックダイヤグラムである。
【図２】［００１２］  図２は、本開示のある態様にしたがった、ワイヤレス通信ネットワークにおいてユーザ機器（ＵＥ）と通信している基地局の例を概念的に図示しているブロックダイヤグラムを示している。
【図３】［００１３］  図３は、本開示のある態様にしたがった、ワイヤレス通信ネットワークにおけるフレーム構造の例を概念的に図示しているブロックダイヤグラムである。
【図４】［００１４］  図４は、本開示のある態様にしたがった、例示的なＣＳＩフィードバックパラメータを示している表である。
【図５】［００１５］  図５は、本開示のある態様にしたがった、ＵＥによるワイヤレス通信のための例示的な動作を図示している。
【図６】［００１６］  図６は、本開示のある態様にしたがった、基地局（ＢＳ）によるワイヤレス通信のための例示的な動作を図示している。
【詳細な説明】
【００１１】
［００１７］
本開示のある態様は、概して、曖昧なユーザ機器（ＵＥ）能力シグナリングを解決することに関連している。ＵＥが、帯域の組み合わせに対する、ＵＥ能力の第１の組み合わせを基地局（ＢＳ）にシグナリングして、帯域の同一の組み合わせに対する、能力の第２の異なる組み合わせもシグナリングするときに、曖昧なシグナリングが結果的に生じるかもしれない。ある態様にしたがうと、決定論的なルールを適用して能力のどの組み合わせを使用するかを決定することによって、ＢＳと通信するのに使用する能力の特定の組み合わせが識別されるかもしれない。例えば、最初にシグナリングされた組み合わせ、または、アルファベット順に順序付けされた最初の組み合わせを使用する。代替的に、使用する能力の組み合わせをネットワークがシグナリングしてもよい。その組み合わせは、ＵＥによってシグナリングされる組み合わせのいずれとも異なるかもしれない。
【００１２】
［００１８］
ここで説明する技術は、ＣＤＭＡ、ＴＤＭＡ、ＦＤＭＡ、ＯＦＤＭＡ、ＳＣ−ＦＤＭＡ、および他のネットワークのような、さまざまなワイヤレス通信ネットワークに対して使用してもよい。用語“ネットワーク”と“システム”は、互換性があるように使用することが多い。ＣＤＭＡネットワークは、ユニバーサル地上無線アクセス（ＵＴＲＡ）、ｃｄｍａ２０００などのような、無線機技術を実現してもよい。ＵＴＲＡは、ワイドバンドＣＤＭＡ（ＷＣＤＭＡ（登録商標））、時分割同期ＣＤＭＡ（ＴＤ−ＳＣＤＭＡ）、および、ＣＤＭＡの他の変形を含む。ｃｄｍａ２０００は、ＩＳ−２０００標準規格、ＩＳ−９５標準規格、およびＩＳ−８５６標準規格をカバーしている。ＴＤＭＡネットワークは、グローバルシステムフォーモバイルコミュニケーション（ＧＳＭ（登録商標））のような無線機技術を実現してもよい。ＯＦＤＭＡネットワークは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭなどのような、無線機技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、周波数分割デュプレクス（ＦＤＤ）および時分割デュプレクス（ＴＤＤ）の両方において、Ｅ−ＵＴＲＡを使用するＵＭＴＳの新しいリリースであり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥ、ＬＴＥ−Ａ、およびＧＳＭは、“第三世代パートナーシッププロジェクト”（３ＧＰＰ）という名の機関による文書中に記述されている。ｃｄｍａ２０００およびＵＭＢは、“第三世代パートナーシッププロジェクト２”（３ＧＰＰ２）という名の機関による文書中に記述されている。ここで説明している技術は、上述したワイヤレスネットワークおよび無線機技術とともに、他のワイヤレスネットワークおよび無線機技術に対して使用してもよい。明確にするために、技術のある態様は、以下ではＬＴＥ／ＬＴＥアドバンストに対して記述しており、以下の記述の多くにおいてＬＴＥ／ＬＴＥアドバンスト専門用語を使用している。
【００１３】
［００１９］
図１はワイヤレス通信ネットワーク１００を示しており、ワイヤレス通信ネットワーク１００は、ＬＴＥネットワークまたは他の何らかのワイヤレスネットワークであってもよい。ワイヤレスネットワーク１００は、多数の進化型ノードＢ（ｅＮＢ）１１０および他のネットワークエンティティを含んでいるかもしれない。ｅＮＢは、ユーザ機器（ＵＥ）と通信するエンティティであり、基地局、ノードＢ、アクセスポイントなどと呼ばれることもある。各ｅＮＢは、特定の地理エリアに対する通信カバレッジを提供している。３ＧＰＰにおいて、用語“セル”は、用語が使用される状況に依存して、ｅＮＢのカバレッジエリア、および／または、そのカバレッジエリアを担当しているｅＮＢサブシステムのことを指すことがある。
【００１４】
［００２０］
ｅＮＢは、マクロセル、ピコセル、フェムトセル、および／または他のタイプのセルに対する、通信カバレッジを提供するかもしれない。マクロセルは、比較的広い地理エリア（例えば、半径数キロメートル）をカバーし、サービス加入を有するＵＥによる、制限されていないアクセスを可能にすることができる。ピコセルは、比較的小さい地理エリアをカバーし、サービス加入を有するＵＥによる、制限されていないアクセスを可能にすることができる。フェムトセルは、比較的小さい地理エリア（例えば、ホーム）をカバーし、フェムトセルとの関係を有するＵＥ（例えば、閉じられた加入者グループ（ＣＳＧ）中のＵＥ）による、制限されたアクセスを可能にするかもしれない。マクロセルに対するｅＮＢはマクロｅＮＢと呼ばれることもある。ピコセルに対するｅＮＢはピコｅＮＢと呼ばれることもある。フェムトセルに対するｅＮＢは、フェムトｅＮＢまたはホームｅＮＢ（ＨｅＮＢ）と呼ばれることもある。図１において示している例では、ｅＮＢ１１０ａは、マクロセル１０２ａに対するマクロｅＮＢであり、ｅＮＢ１１０ｂは、ピコセル１０２ｂに対するピコｅＮＢであり、ｅＮＢ１１０ｃは、フェムトセル１０２ｃに対するフェムトｅＮＢである。ｅＮＢは、１または複数の（例えば、３つの）セルをサポートすることができる。用語“ｅＮＢ”、“基地局”、および“セル”は、ここでは交換可能に使用する。
【００１５】
［００２１］
ワイヤレスネットワーク１００は中継局も含んでいるかもしれない。中継局は、アップストリーム局（例えば、ｅＮＢまたはＵＥ）からデータの送信を受信でき、ダウンストリーム局（例えば、ＵＥまたはｅＮＢ）へデータの送信を送ることができるエンティティである。中継局はまた、他のＵＥに対して送信を中継できるＵＥであってもよい。図１において示している例では、中継局１１０ｄは、ｅＮＢ１１０ａとＵＥ１２０ｄとの間の通信を容易にするために、マクロｅＮＢ１１０ａおよびＵＥ１２０ｄと通信することができる。中継局は、中継ｅＮＢ、中継基地局、中継器などと呼ばれることもある。
【００１６】
［００２２］
ワイヤレスネットワーク１００は、異なるタイプのｅＮＢ、例えば、マクロｅＮＢ、ピコｅＮＢ、フェムトｅＮＢ、中継ｅＮＢなど、を含む異種ネットワークであってもよい。ワイヤレスネットワーク１００において、これらの異なるタイプのｅＮＢは、異なる送信電力レベル、異なるカバレッジエリア、および、干渉における異なる影響を有しているかもしれない。例えば、マクロｅＮＢが高い送信電力レベル（例えば、５から４０ワット）を有している一方で、ピコｅＮＢ、フェムトｅＮＢ、および中継ｅＮＢは、より低い送信電力レベル（例えば、０．１から２ワット）を有しているかもしれない。
【００１７】
［００２３］
ネットワーク制御装置１３０は、ｅＮＢのセットに結合していてもよく、これらのｅＮＢに対して調整および制御を提供するかもしれない。ネットワーク制御装置１３０は、バックホールを介してｅＮＢと通信してもよい。ｅＮＢはまた、例えば、ワイヤレスまたはワイヤラインのバックホールを介して直接的または間接的に、互いに通信してもよい。
【００１８】
［００２４］
ＵＥ１２０（例えば、１２０ａ、１２０ｂ、１２０ｃ）は、ワイヤレスネットワーク１００全体を通して分散されていてもよく、各ＵＥは静的であっても、または移動体であってもよい。ＵＥは、アクセス端末、端末、移動局、加入者ユニット、局などと呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、スマートフォン、ネットブック、スマートブック、ウルトラブックなどであってもよい。図１において、両端矢印を有する実線は、ＵＥと担当ｅＮＢとの間の所望送信を示しており、担当ｅＮＢは、ダウンリンクおよび／またはアップリンク上でＵＥを担当するように指定されているｅＮＢである。両端矢印を有する破線は、ＵＥとｅＮＢとの間の潜在的な干渉送信を示している。
【００１９】
［００２５］
図２は、基地局／ｅＮＢ１１０とＵＥ１２０との設計のブロックダイヤグラムを示しており、基地局／ｅＮＢ１１０とＵＥ１２０は、図１における基地局／ｅＮＢのうちの１つとＵＥのうちの１つとであってもよい。基地局１１０は、Ｔ本のアンテナ２３４ａないし２３４ｔを備えていてもよく、ＵＥ１２０は、Ｒ本のアンテナ２５２ａないし２５２ｒを備えていてもよい。
【００２０】
［００２６］
基地局１１０において、送信プロセッサ２２０は、１つ以上のＵＥのためにデータソース２１２からデータを受け取り、ＵＥから受信したＣＱＩに基づいて、各ＵＥに対して１つ以上の変調コーディングスキーム（ＭＣＳ）を選択し、ＵＥに対して選択したＭＣＳに基づいて、各ＵＥのためにデータを処理（例えば、エンコードおよび変調）し、すべてのＵＥに対してデータシンボルを提供するかもしれない。送信プロセッサ２２０は、（例えば、ＳＲＰＩなどに対する）システム情報および制御情報（例えば、ＣＱＩ要求、許可、上位レイヤシグナリングなど）も処理し、オーバーヘッドシンボルおよび制御シンボルを提供してもよい。プロセッサ２２０は、基準信号（例えば、ＣＲＳ）および同期信号（例えば、ＰＳＳおよびＳＳＳ）に対する基準シンボルも発生させてもよい。送信（ＴＸ）複数入力複数出力（ＭＩＭＯ）プロセッサ２３０は、適用可能な場合に、データシンボル、制御シンボル、オーバーヘッドシンボル、および／または基準シンボル上で、空間処理（例えば、プリコーディング）を実行してもよく、Ｔ個の変調器（ＭＯＤ）２３２ａないし２３２ｔにＴ個の出力シンボルストリームを提供してもよい。各変調器２３２は、（例えば、ＯＦＤＭなどのために）それぞれの出力シンボルストリームを処理して出力サンプルストリームを取得してもよい。各変調器２３２は、出力サンプルストリームをさらに処理（例えば、アナログにコンバート、増幅、フィルタリング、およびアップコンバート）してダウンリンク信号を取得してもよい。変調器２３２ａないし２３２ｔからのＴ個のダウンリンク信号はそれぞれ、Ｔ本のアンテナ２３４ａないし２３４ｔを介して送信してもよい。
【００２１】
［００２７］
ＵＥ１２０において、アンテナ２５２ａないし２５２ｒは、基地局１１０および／または他の基地局からダウンリンク信号を受信するかもしれず、復調器（ＤＥＭＯＤ）２５４ａないし２５４ｒに受信信号をそれぞれ提供するかもしれない。各復調器２５４は、その受信信号を調整（例えば、フィルタリング、増幅、ダウンコンバート、およびデジタル化）して入力サンプルを取得してもよい。各復調器２５４は、（例えば、ＯＦＤＭなどのために）入力サンプルをさらに処理して受信シンボルを取得してもよい。ＭＩＭＯ検出器２５６は、Ｒ個のすべての復調器２５４ａないし２５４ｒから受信シンボルを取得し、適用可能な場合に受信シンボル上でＭＩＭＯ検出を実行して、検出したシンボルを提供してもよい。受信プロセッサ２５８は、検出シンボルを処理（例えば、復調およびデコード）し、ＵＥ１２０に対するデコードしたデータをデータシンク２６０に提供し、デコードした制御情報およびシステム情報を制御装置／プロセッサ２８０に提供してもよい。チャネルプロセッサは、ＲＳＲＰ、ＲＳＳＩ、ＲＳＲＱ、ＣＱＩなどを決定してもよい。
【００２２】
［００２８］
アップリンク上で、ＵＥ１２０において、送信プロセッサ２６４がデータソース２６２からのデータと、制御装置／プロセッサ２８０からの（例えば、ＲＳＲＰ、ＲＳＳＩ、ＲＳＲＱ、ＣＱＩなど、を含む報告に対する）制御情報とを受け取って処理するかもしれない。プロセッサ２６４は、１つ以上の基準信号に対する基準シンボルも発生させるかもしれない。送信プロセッサ２６４からのシンボルは、適用可能な場合にＴＸ  ＭＩＭＯプロセッサ２６６によってプリコーディングされ、（例えば、ＳＣ−ＦＤＭ、ＯＦＤＭなどのために）変調器２５４ａないし２５４ｒによってさらに処理され、基地局１１０に送信されるかもしれない。基地局１１０においては、ＵＥ１２０および他のＵＥからのアップリンク信号がアンテナ２３４によって受信され、復調器２３２によって処理され、適用可能な場合にＭＩＭＯ検出器２３６によって検出され、受信プロセッサ２３８によってさらに処理されて、デコードされた、ＵＥ１２０によって送られたデータおよび制御情報が取得されるかもしれない。プロセッサ２３８は、デコードされたデータをデータシンク２３９に提供し、デコードされた制御情報を制御装置／プロセッサ２４０に提供してもよい。基地局１１０は、通信ユニット２４４を備えていてもよく、通信ユニット２４４を介してネットワーク制御装置１３０に通信するかもしれない。ネットワーク制御装置１３０は、通信ユニット２９４、制御装置／プロセッサ２９０、およびメモリ２９２を備えていてもよい。
【００２３】
［００２９］
制御装置／プロセッサ２４０および２８０はそれぞれ、基地局１１０およびＵＥ１２０における動作を指示するかもしれない。基地局１１０における、プロセッサ２４０および／または他のプロセッサならびにモジュールが、ならびに／あるいは、ＵＥ１２０における、プロセッサ２８０および／または他のプロセッサならびにモジュールが、ここに説明する技術に対するプロセスを実行または指示するかもしれない。メモリ２４２および２８２はそれぞれ、基地局１１０およびＵＥ１２０に対するデータおよびプログラムコードを記憶してもよい。スケジューラ２４６が、ダウンリンクおよび／またはアップリンク上のデータ送信に対してＵＥをスケジューリングするかもしれない。
【００２４】
［００３０］
ＵＥ１２０にデータを送信するときに、基地局１１０は、データ割り振りサイズに少なくとも部分的に基づいてバンドリングサイズを決定し、決定したバンドリングサイズのバンドルされた隣接リソースブロック中にデータをプリコーディングするように構成されているかもしれない。各バンドル中のリソースブロックは、共通のプリコーディング行列によりプリコーディングされているかもしれない。すなわち、リソースブロック中の、ＵＥ−ＲＳのような基準信号、および／またはデータは、同一のプリコーダを使用してプリコーディングされているかもしれない。バンドルされたＲＢ（リソースブロック）の各ＲＢ中のＵＥ−ＲＳに対して使用される電力レベルも、同一であるかもしれない。
【００２５】
［００３１］
ＵＥ１２０は、相補的な処理を実行して、基地局１１０から送信されたデータをデコードするように構成されているかもしれない。例えば、ＵＥ１２０は、隣接リソースブロック（ＲＢ）のバンドルで基地局から送信された受信データの、データ割り振りサイズに基づいて、バンドリングサイズを決定し、ここで、各バンドル中のリソースブロックにおける少なくとも１つの基準信号は、共通のプリコーディング行列によりプリコーディングされており、決定したバンドリングサイズと、基地局から送信された１つ以上の基準信号（ＲＳ）とに基づいて、少なくとも１つのプリコーディングされているチャネルを推定し、推定したプリコーディングされているチャネルを使用して受信バンドルをデコードするように構成されているかもしれない。
【００２６】
［００３２］
図３は、ＬＴＥにおける、ＦＤＤに対する例示的なフレーム構造３００を示している。ダウンリンクおよびアップリンクのそれぞれに対する送信タイムラインは、無線フレームの単位に分割されてもよい。各無線フレームは、予め定められた持続期間（例えば、１０ミリ秒（ｍｓ））を有していてもよく、０ないし９のインデックスを有する１０個のサブフレームに分割されてもよい。各サブフレームは、２個のスロットを含んでいてもよい。各無線フレームは、したがって、０ないし１９のインデックスを有する２０個のスロットを含んでいてもよい。各スロットは、Ｌ個のシンボル期間、例えば、（図３において示しているように）ノーマルサイクリックプリフィックスに対して７個のシンボル期間、または、拡張サイクリックプリフィックスに対して６個のシンボル期間を含んでいてもよい。各サブフレーム中の２Ｌ個のシンボル期間に、０ないし２Ｌ−１のインデックスが割り当てられていてもよい。
【００２７】
［００３３］
ＬＴＥでは、ｅＮＢは、ｅＮＢによってサポートされている各セルに対して、システム帯域幅の中心の１．０８ＭＨｚで、ダウンリンク上で１次同期信号（ＰＳＳ）および２次同期信号（ＳＳＳ）を送信してもよい。図３において示しているように、ノーマルサイクリックプリフィックスを有する各無線フレームのサブフレーム０および５におけるシンボル期間６および５中で、ＰＳＳおよびＳＳＳはそれぞれ送信されてもよい。ＰＳＳおよびＳＳＳは、セルのサーチおよび獲得のためにＵＥによって使用されてもよい。ｅＮＢは、ｅＮＢによりサポートされている各セルに対して、システム帯域幅に渡ってセル特有基準信号（ＣＲＳ）を送信してもよい。ＣＲＳは、各サブフレームのあるシンボル期間中で送信してもよく、チャネル推定、チャネル品質測定、および／または他の機能を実行するためにＵＥによって使用されるかもしれない。ｅＮＢはまた、ある無線フレームのスロット１におけるシンボル期間０から３中で、物理ブロードキャストチャネル（ＰＢＣＨ）を送信してもよい。ＰＢＣＨは、いくつかのシステム情報を伝えるかもしれない。ｅＮＢは、あるサブフレームにおいて、物理ダウンリンク共有チャネル（ＰＤＳＣＨ）上でシステム情報ブロック（ＳＩＢ）のような他のシステム情報を送信してもよい。ｅＮＢは、サブフレームの最初のＢ個のシンボル期間中の物理ダウンリンク制御チャネル（ＰＤＣＣＨ）上で制御の情報／データを送信してもよく、Ｂは各サブフレームに対して構成可能であってもよい。ｅＮＢは、各サブフレームの残りのシンボル期間中のＰＤＳＣＨ上で、トラフィックデータおよび／または他のデータを送信してもよい。
【００２８】
曖昧なユーザ機器（ＵＥ）能力シグナリングを解決するための方法および装置
［００３４］
ユーザ機器（ＵＥ）は、ＵＥの能力をネットワークにシグナリングして、ＵＥによってサポートされる特有の機能についてネットワークに知らせるかもしれない。例えば、ダウンリンク（ＤＬ）の受信に対してサポートされる複数入力複数出力（ＭＩＭＯ）レイヤの最大数を、ＵＥはシグナリングするかもしれない。別の例として、マルチポイント協調（ＣｏＭＰ）においてサポートされるチャネル状態情報（ＣＳＩ）処理の最大数を、ＵＥはシグナリングするかもしれない。搬送波アグリゲーション（ＣＡ）を有するＣｏＭＰに対しては、コンポーネント搬送波（ＣＣ）毎にサポートされるＣＳＩ処理の最大数を、ＵＥはシグナリングするかもしれない。
【００２９】
［００３５］
サポートされるＭＩＭＯレイヤの最大数は、ＤＬ空間多重化に対してサポートされるレイヤの最大数を示している。サポートされるＭＩＭＯレイヤの最大数は、例えば、ＵＥ受信アンテナの数、ＵＥ処理能力、および他のインプリメンテーション特有ファクターに依存しているかもしれない。ネットワークは、ＵＥによってシグナリングされたレイヤの数を使用して、ランクインジケータ（ＲＩ）シグナリングに対するビット幅を決定してもよい。例えば、ｅノードＢ（ｅＮＢ）アンテナおよびＵＥ受信アンテナの数の最小値である最大の可能なランクとしてビット幅を選択してもよい。
【００３０】
［００３６］
ロングタームエボリューション（ＬＴＥ）リリース−１１では、サポートされるＣＳＩ処理の最大数がＵＥ能力である。ＵＥが１、３、または４ＣＳＩ処理をサポートすることを、ＵＥは示すかもしれない。チャネル測定に対する非ゼロ電力（ＮＺＰ）ＣＳＩ基準信号（ＣＳＩ−ＲＳ）リソースと、干渉測定に対する干渉測定リソース（ＩＭＲ）との関係として、ＣＳＩ処理は定義されている。図４は、本開示のある態様にしたがった、例示的なＣＳＩフィードバックパラメータを示している表４００である。シグナリングされたＵＥ能力に基づいて、ＣＳＩフィードバック関連パラメータが得られる。図４において分かるように、ＣＣ毎のベースで、シグナリングされたＵＥ能力に基づいて、ＣＳＩフィードバックパラメータを決定することができる。
【００３１】
［００３７］
同一の帯域組み合わせに対する反復ＵＥ能力シグナリングは、ＵＥとネットワークとの間の曖昧な振る舞いにつながるかもしれない。搬送波アグリゲーションに対しては、帯域と帯域との組み合わせ毎に、ＵＥはＵＥ能力を示すかもしれない。例えば、帯域Ａ、帯域Ｂ、帯域Ｃの３つの帯域のシナリオを仮定し、ＰでＵＥ能力を示す。異なるＣＡ組み合わせに対する異なるＵＥ能力を、ＵＥはシグナリングすることができる。帯域Ａと帯域ＢとのＣＡに対しては、ＵＥ能力Ｐ１１とＰ１２との第１の組み合わせのサポートを、ＵＥはシグナリングするかもしれない。帯域の別の組み合わせ、帯域Ａと帯域ＣとのＣＡに対しては、ＵＥ能力Ｐ２１とＰ２２との第２の組み合わせのサポートを、ＵＥはシグナリングするかもしれない。Ｐ１１はＰ２１とは異なるかもしれず、Ｐ１２はＰ２２とは異なるかもしれないが、両方は帯域Ａ中のＣＣに対応する（例えば、両方ではないが２つの帯域のうちのいずれか一方で、ＵＥがより高いＵＥ能力をサポートすることをシグナリングする）。
【００３２】
［００３８］
別の例として、同一の帯域組み合わせに対する複数の能力を、ＵＥはシグナリングするかもしれない。帯域Ａと帯域ＢとのＣＡに対して、ＵＥ能力Ｐ３１とＰ３２との組み合わせに対するサポートを、ＵＥはシグナリングするかもしれない。帯域Ａと帯域Ｂとの、同一の帯域の同一のＣＡに対して、ＵＥ能力Ｐ４１とＰ４２との第２の異なる組み合わせに対するサポートを、ＵＥはシグナリングするかもしれない。同一のＣＡ組み合わせに対する異なるＵＥ能力をシグナリングすることに対する１つの使用のケースは、両方ではないが、帯域Ａまたは帯域Ｂのいずれかにおいて、より高い能力をサポートすることができることを示すことである。
【００３３】
［００３９］
ＵＥ能力の２つのペアのうちのどちらがネットワークにおいて使用されたかを、ＵＥが知らないかもしれないので、このようなシグナリングは、ＵＥとネットワークとの間の曖昧さにつながる。
【００３４】
［００４０］
例えば、帯域Ａと帯域ＢとのＣＡに対して、各帯域内に帯域内ＣＡが存在しない場合は、ＵＥ能力Ｐ１１、Ｐ１２の第１の組み合わせをＵＥはサポートする。代替的に、少なくとも１つの帯域内に帯域内ＣＡが存在する場合（例えば、帯域Ａ、２つのＣＣ、および、帯域Ｂ、１つのＣＣ）は、ＵＥ能力Ｐ２１、Ｐ２２の組み合わせをＵＥはサポートする。このケースにおいて、明示的に特定されない場合、構成されたＣＣの数の関数としてシステムパラメータが得られるか否かは不明確であるかもしれない。
【００３５】
［００４１］
ＵＥ能力の曖昧さの別の例として、空間レイヤの最大数のＵＥ能力に対して、ＵＥは以下をシグナリングする。
【数１】
0005932169.tif 000002
ネットワークは２つのＣＣを構成し、各ＣＣにおいて、４つのアンテナポートに対して基準信号（ＲＳ）（例えば、セル特有基準信号（ＣＲＳ）またはＣＳＩ−ＲＳ）を構成する。このケースにおいて、４つのレイヤの最大値（ＵＥ能力）がＣＣ１においてサポートされるか、または、ＣＣ２においてサポートされるかを、ＵＥは決定できない。ＵＥは、このような値を、２つのＣＣのうちの１つがサポートできることを知っているだけである。ＲＩ報告のビット幅がこの数に依存しているので、ＣＣ１およびＣＣ２においてそれぞれ、どのビット幅がＵＥによって使用されるのかに関して曖昧さが存在する。
【００３６】
［００４２］
ＵＥ能力の曖昧さのさらに別の例として、ＣｏＭＰ  ＣＳＩ処理のＵＥ能力に対して、ＵＥは以下をシグナリングする。
【数２】
0005932169.tif 000003
ＣＣ１においてｙ１＝３のＣＳＩ処理を、ＣＣ２においてｙ２＝３のＣＳＩ処理を有する２つのＣＣを、ネットワークが構成する。図５において示しているように、ＵＥ能力３および４に対して、構成されるＣＳＩ処理の数は２または３であり、タイムラインパラメータは５である。しかしながら、Ｐ＝３に対しては、トリガリングバジェットは３であり、Ｐ＝４に対しては、トリガリングバジェットは４である。このケースにおいて、周波数分割デュプレクス（ＦＤＤ）に対して、ＣＣ１およびＣＣ２においてトリガリングバジェットのどの値が想定されるか、ＵＥは一意的には決定することができない。
【００３７】
［００４３］
ＵＥ能力シグナリングにおける曖昧さを解決するための技術および装置をここで提供する。
【００３８】
［００４４］
１つの解決法に関して、ある態様にしたがうと、同一の帯域組み合わせに対する複数のＵＥ能力をシグナリングすることは許容されていない。したがって、ＵＥはＵＥ能力の複数の値をシグナリングすることはできず、曖昧さを取り除くことができる。
【００３９】
［００４５］
別の解決法として、ある態様にしたがうと、曖昧さが生じるときに、ＵＥ能力に渡る最小共通値を使用する。例えば、ＵＥが以下をシグナリングする場合、
【数３】
0005932169.tif 000004
が、結果的なＵＥ能力として想定される。代替的に、類似する方法でＵＥ能力の最大値を使用してもよい。しかしながら、この解決法は、いくつかのタイプのＵＥ能力（例えば、ＭＩＭＯレイヤの最大数）に対しては上手くいくかもしれないが、他のもの（例えば、ＣＳＩ処理の最大の数）に対しては上手くいかないかもしれない。ＵＥ能力が、駆動されるＵＥ複雑性である場合は、最大値をとることはＵＥの計算リソースを超えるかもしれない。
【００４０】
［００４６］
別の解決法として、ある態様にしたがうと、決定論的なルールにしたがって帯域組み合わせを選択してもよい。例えば、シグナリングされる最初の帯域組み合わせを常に選択してもよい。どの帯域組み合わせを“最初”であるとみなすべきかがＵＥとネットワークとの両方において明確である場合に、このルールは可能なオプションであるかもしれない。
【００４１】
［００４７］
いくつかの実施形態において、決定論的なルールにしたがって、例えばアルファベット順に、帯域組み合わせのリストが順序付けされているかもしれない。その後、アルファベット順のリスト中に最初にリストアップされている組み合わせをＵＥは選択してもよい。たとえＵＥとネットワークがＵＥ能力を異なるように順序付け／記憶していたとしても、このオプションは曖昧さを避けることができる。ここで使用しているように、アルファベット順の順序付けは、帯域組み合わせを、最初にそれらの第１のエントリにしたがって分類し、その後、それらの第２、３のエントリなどにしたがって分類することを意味している。
【００４２】
［００４８］
第４の解決法に関して、ある態様にしたがうと、ネットワークは、曖昧な帯域組み合わせのうちのどれをネットワークが選択したかをＵＥにシグナリングしてもよい。例えば、ＵＥがどの帯域組み合わせを想定すべきかを、ネットワークがＵＥに知らせてもよい。代替的に、曖昧なＵＥ能力の組み合わせであるが、シグナリングされた単一の帯域組み合わせに直接的には対応していない、ＵＥ能力の新たなセットを、ネットワークがシグナリングしてもよい。このケースにおいて、ネットワークは、ＵＥ能力の新たなセットが、曖昧なＵＥ能力のうちの任意のものよりも、ＵＥに確実に負担を掛けないようにする必要があるかもしれない。
【００４３】
［００４９］
別の態様において、ＣＡ依存の能力の曖昧さを解決することができる。空間レイヤの最大数のＵＥ能力に対して、ＵＥは以下をシグナリングするかもしれない。  
帯域Ａ内に帯域内ＣＡが存在する場合、
【数４】
0005932169.tif 000005
このケースにおいて、帯域Ａ中のＣＣにおけるＲＩのビット幅をどのように決定するべきかは不明確であるかもしれない（あまねく、ＲＩビット幅がｅＮＢのＴｘアンテナの数およびＵＥカテゴリーに依存すると専門家は言っている）。第１の代替においては、ＵＥが帯域中にいくつのＣＣを構成しているかにかかわらず、ＲＩビット幅は、帯域中のレイヤの総最大数に、提供している例においては４レイヤに基づいている。第２の代替においては、ＲＩビット幅は、帯域中にＵＥがいくつの搬送波を構成しているかにさらに依存している。このケースにおいて、１つのＣＣが帯域Ａ上に構成されている場合は、ＲＩは４レイヤに基づいているかもしれない。代替的に、２つ以上のＣＣが帯域Ａ上に構成されている場合は、ＲＩは２レイヤに基づいているかもしれない。
【００４４】
［００５０］
図５は、本開示のある態様にしたがった、ユーザ機器（ＵＥ）によるワイヤレス通信のための例示的な動作５００を図示している。５０２において、ＵＥは、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするＵＥの能力を決定する。ある態様にしたがうと、ＵＥ能力は、ＤＬ受信に対してサポートされるＭＩＭＯレイヤの数、または、チャネルフィードバックに対してサポートされるＣＳＩ処理の数を含んでいてもよい。
【００４５】
［００５１］
５０６において、ＵＥは、帯域の組み合わせに対する、ＵＥの能力の第１の組み合わせを、ＲＡＮの基地局（ＢＳ）にシグナリングする。
【００４６】
［００５２］
５０８において、ＵＥは、帯域の組み合わせに対する、能力の第１の組み合わせとは異なる、能力の第２の組み合わせを、ＢＳにシグナリングする。ある態様にしたがうと、能力の第１の組み合わせは、第１の帯域に対してサポートされる能力の第１のセットと、第２の帯域に対してサポートされる能力の第２のセットとを示し、能力の第２の組み合わせは、第１の帯域に対する、第１のセットとは異なる、能力の第３のセットと、第２の帯域に対する、第２のセットとは異なる、能力の第４のセットとを示す。
【００４７】
［００５３］
５１０において、ＵＥは、１つ以上の基準に基づいて、ＢＳと通信するのに使用する能力の特定の組み合わせを識別する。ある態様にしたがうと、ＵＥは、第１のセットと第２のセットとのそれぞれにおける１つ以上の能力に対する、最小共通値をとることによって、能力の組み合わせを識別してもよい。代替的に、ＵＥは最大共通値をとってもよい。ある態様にしたがうと、ＵＥは、決定論的なルールを適用することによって、使用する能力の組み合わせを識別してもよい。例えば、ルールは、能力の組み合わせがシグナリングされた順序に基づいていてもよい。代替的に、ルールは、能力の組み合わせがシグナリングされた順序とは無関係である、帯域組み合わせの順序付けされているリストに基づいていてもよい。ある態様にしたがうと、ＵＥは、使用する能力の組み合わせを示すシグナリングを、ＢＳから受信してもよい。いくつかの実施形態に対して、ＢＳは、能力の第１の組み合わせ、または、能力の第２の組み合わせのいずれか以外の、能力の異なる組み合わせをシグナリングしてもよい。
【００４８】
［００５４］
図６は、本開示のある態様にしたがった、基地局（ＢＳ）によるワイヤレス通信のための例示的な動作６００を図示している。
【００４９】
［００５５］
６０２において、ＢＳは、帯域の組み合わせに対する、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするユーザ機器（ＵＥ）の能力の、第１の組み合わせを示すシグナリングを、ＵＥから受信する。
【００５０】
［００５６］
６０４において、ＢＳは、帯域の組み合わせに対する、能力の第１の組み合わせとは異なる、ＲＡＮの異なる動作周波数帯域上での、ＭＩＭＯ機能またはＣｏＭＰ機能のうちの少なくとも１つをサポートするＵＥの能力の、第２の組み合わせを示すシグナリングを、ＵＥから受信する。
【００５１】
［００５７］
６０６において、ＢＳは、１つ以上の基準に基づいて、ＵＥと通信するのに使用する能力の特定の組み合わせを識別する。
【００５２】
［００５８］
上述した方法のさまざまな動作は、対応する機能を実行することが可能な任意の適切な手段によって実行してもよい。手段は、これらに限定されないが、回路、特定用途向け集積回路（ＡＳＩＣ）、またはプロセッサを含む、さまざまなハードウェアおよび／またはソフトウェアコンポーネントならびに／あるいはモジュールを備えていてもよい。一般的に、図面中に図示している動作が存在する場合、それらの動作は、類似するナンバリングを有する、対応するミーンズプラスファンクションコンポーネントを有していてもよい。
【００５３】
［００５９］
ここで使用しているように、用語“決定すること”は、広範なアクションを含んでいる。例えば、“決定すること”は、算出すること、計算すること、処理すること、導出すること、検査すること、ルックアップすること（例えば、テーブル、データベース、または別のデータ構造中でルックアップすること）、把握すること、および、これらに類するものを含んでいてもよい。“決定すること”はまた、受け取ること（例えば、情報を受け取ること）、アクセスすること（例えば、メモリ中のデータにアクセスすること）、および、これらに類するものも含んでいてもよい。“決定すること”はまた、解決すること、選択すること、選ぶこと、確立すること、および、これらに類するものも含んでいてもよい。
【００５４】
［００６０］
上述した方法のさまざまな動作は、さまざまなハードウェアおよび／またはソフトウェアコンポーネント、回路、ならびに／あるいはモジュールのような、動作を実行することが可能な任意の適切な手段によって実行してもよい。一般的に、図面中に図示している任意の動作は、動作を実行することが可能な対応する機能的手段によって実行してもよい。
【００５５】
［００６１］
本開示と関連して記述したさまざまな例示的な論理ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ信号（ＦＰＧＡ）または他のプログラム可能論理デバイス（ＰＬＤ）、ディスクリートゲートまたはトランジスタ論理、ディスクリートハードウェアコンポーネント、あるいは、ここに記述した機能を実行するように設計されているこれらの任意の組み合わせたものにより、実現または実行してもよい。汎用プロセッサはマイクロプロセッサであってもよいが、代替実施形態では、プロセッサは、任意の商業的に利用可能なプロセッサ、制御装置、マイクロ制御装置または状態機械であってもよい。プロセッサはまた、例えば、ＤＳＰおよびマイクロプロセッサを組み合わせたものや、複数のマイクロプロセッサや、ＤＳＰコアを伴う１つ以上のマイクロプロセッサや、または他の任意のこのような構成のような、コンピューティングデバイスを組み合わせたものとして実現してもよい。
【００５６】
［００６２］
本開示に関連して説明した方法またはアルゴリズムのステップは、ハードウェアで、プロセッサにより実行されるソフトウェアモジュールで、または、その２つを組み合わせたもので直接的に具現化してもよい。ソフトウェアモジュールは、技術的に知られている任意の形態の記憶媒体に存在していてもよい。使用できる記憶媒体のいくつかの例には、ランダムアクセスメモリ（ＲＡＭ）、リードオンリーメモリ（ＲＯＭ）、フラッシュメモリ、ＥＰＲＯＭメモリ、ＥＥＰＲＯＭ（登録商標）メモリ、レジスタ、ハードディスク、リムーブバルディスク、ＣＤ−ＲＯＭなどが含まれる。ソフトウェアモジュールは、単一の命令または多くの命令を含んでいてもよく、いくつかの異なるコードセグメントを通して、異なるプログラム間で、および、複数の記憶媒体に渡って分配されてもよい。記憶媒体は、プロセッサが記憶媒体から情報を読み取り、記憶媒体に情報を書き込むことができるようにプロセッサに結合されていてもよい。代替実施形態では、記憶媒体はプロセッサと一体化されていてもよい。
【００５７】
［００６３］
ここで開示した方法は、説明した方法を達成するための１つ以上のステップまたはアクションを含んでいる。方法のステップおよび／またはアクションは、特許請求の範囲から逸脱することなく、相互に入れ替えることができる。言い換えると、ステップまたはアクションの特定の順序が指定されていない限り、特許請求の範囲から逸脱することなく、特定のステップおよび／またはアクションの順序および／または使用を修正することができる。
【００５８】
［００６４］
説明した機能は、ハードウェアで、ソフトウェアで、ファームウェアで、または、これらの任意の組み合わせたもので実現してもよい。ソフトウェアで実現した場合、機能は、１つ以上の命令として、コンピュータ読み取り可能媒体上に記憶してもよい。記憶媒体は、コンピュータによりアクセスすることができる何らかの利用可能な媒体であってもよい。例として、これらに限定されるものではないが、このようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、およびブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。
【００５９】
［００６５］
したがって、ある態様は、ここで提示した動作を実行するためのコンピュータプログラムプロダクトを備えていてもよい。例えば、そのようなコンピュータプログラムプロダクトは、その上に記憶されている（および／またはエンコードされている）命令を有するコンピュータ読み取り可能媒体を含んでいてもよく、命令は、１つ以上のプロセッサによって、ここで記述した動作を実行するように実行可能である。ある態様に関して、コンピュータプログラムプロダクトは、パッケージングマテリアルを備えていてもよい。
【００６０】
［００６６］
ソフトウェアまたは命令は、送信媒体を通して送信してもよい。例えば、同軸ケーブル、光ファイバケーブル、ツイストペア、デジタル加入者回線（ＤＳＬ）、あるいは、赤外線、無線、およびマイクロ波のようなワイヤレス技術を使用しているウェブサイト、サーバ、または他の遠隔ソースからソフトウェアが送信される場合には、同軸ケーブル、光ファイバケーブル、ツイストペア、ＤＳＬ、あるいは、赤外線、無線、およびマイクロ波のようなワイヤレス技術は、送信媒体の定義に含まれる。
【００６１】
［００６７］
さらに、適用可能であれば、ここで説明した方法および技術を実行するためのモジュールおよび／または他の適切な手段が、ユーザ端末および／または基地局によって、ダウンロードできるか、ならびに／あるいは、そうでなければ取得できることを正しく認識すべきである。例えば、ここで説明した方法を実行するための手段の転送を容易にするために、このようなデバイスをサーバに結合することができる。代替的に、記憶装置手段（例えば、ＲＡＭや、ＲＯＭや、コンパクトディスク（ＣＤ）またはフロッピーディスクのような物理的な記憶媒体など）を介して、ここで説明したさまざまな方法を提供することができる。これにより、記憶装置手段をデバイスに結合または提供すると、ユーザ端末および／または基地局がさまざまな方法を取得できる。さらに、ここで説明した方法および技術をデバイスに提供するための他の何らかの適切な技術を利用することができる。
【００６２】
［００６８］
特許請求の範囲は、上記で示したまさにそのコンフィギュレーションおよびコンポーネントに限定されるものではないことを理解すべきである。さまざまな修正、変更、およびバリエーションが、上述した方法および装置の構成、運用、および詳細において、特許請求の範囲から逸脱することなく行われてもよい。
【００６３】
［００６９］
さまざまなアプリケーションにおいて、ここで提供した技術を利用してもよい。ある態様に対して、ここで提示した技術を、アクセスポイント局中、アクセス端末中、モバイルハンドセット中、または、ここで提供した技術を実行するための処理論理およびエレメントを有する他のタイプのワイヤレスデバイス中に組み込んでもよい。
【００６４】
［００７０］
先述のものは、本開示の態様に向けられているが、開示の基本的な範囲から逸脱することなく、本開示の他のおよびさらなる態様を考案してもよく、開示の範囲は、以下に続く特許請求の範囲により決定される。
以下に、本願出願の当初の特許請求の範囲に記載された発明を付記する。
［１］ユーザ機器（ＵＥ）によるワイヤレス通信のための方法において、
無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートする前記ＵＥの能力を決定することと、
帯域の組み合わせに対する、前記ＵＥの能力の第１の組み合わせを、前記ＲＡＮの基地局（ＢＳ）にシグナリングすることと、
前記帯域の組み合わせに対する、前記能力の第１の組み合わせとは異なる、能力の第２の組み合わせを、前記ＢＳにシグナリングすることと、
１つ以上の基準に基づいて、前記ＢＳと通信するのに使用する能力の特定の組み合わせを識別することとを含む方法。
［２］前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む［１］記載の方法。
［３］前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す［２］記載の方法。
［４］前記識別することは、前記能力の第１のセットと前記能力の第２のセットとのそれぞれにおける１つ以上の能力に対する、最小共通値を取ることを含む［１］記載の方法。
［５］前記識別することは、前記能力の第１のセットと前記能力の第２のセットとのそれぞれにおける１つ以上の能力に対する、最大共通値を取ることを含む［１］記載の方法。
［６］前記識別することは、決定論的なルールを適用して、前記能力の第１の組み合わせ、または、前記能力の第２の組み合わせ、のうちのいずれを使用するかを決定することを含む［１］記載の方法。
［７］前記決定論的なルールは、前記能力の第１の組み合わせと前記能力の第２の組み合わせとがシグナリングされた順序に基づいている［６］記載の方法。
［８］前記決定論的なルールは、前記能力の第１の組み合わせと前記能力の第２の組み合わせとがシグナリングされた順序とは無関係である、帯域組み合わせの順序付けされているリストに基づいている［６］記載の方法。
［９］前記識別することは、使用する能力の組み合わせを示すシグナリングを、前記ＢＳから受信することを含む［１］記載の方法。
［１０］前記ＢＳのシグナリングは、前記能力の第１の組み合わせ、または、前記能力の第２の組み合わせのいずれか以外の、能力の異なる組み合わせを示す［９］記載の方法。
［１１］基地局（ＢＳ）によるワイヤレス通信のための方法において、
帯域の組み合わせに対する、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするユーザ機器（ＵＥ）の能力の、第１の組み合わせを示すシグナリングを、前記ＵＥから受信することと、
前記帯域の組み合わせに対する、前記能力の第１の組み合わせとは異なる、ＲＡＮの異なる動作周波数帯域上での、ＭＩＭＯ機能またはＣｏＭＰ機能のうちの少なくとも１つをサポートする前記ＵＥの能力の、第２の組み合わせを示すシグナリングを、前記ＵＥから受信することと、
１つ以上の基準に基づいて、前記ＵＥと通信するのに使用する能力の特定の組み合わせを識別することとを含む方法。
［１２］前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む［１１］記載の方法。
［１３］前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す［１２］記載の方法。
［１４］前記識別することは、前記能力の第１のセットと前記能力の第２のセットとのそれぞれにおける１つ以上の能力に対する、最小共通値を取ることを含む［１１］記載の方法。
［１５］前記識別することは、前記能力の第１のセットと前記能力の第２のセットとのそれぞれにおける１つ以上の能力に対する、最大共通値を取ることを含む［１１］記載の方法。
［１６］前記識別することは、決定論的なルールを適用して、前記能力の第１の組み合わせ、または、前記能力の第２の組み合わせ、のうちのいずれを使用するかを決定することを含む［１１］記載の方法。
［１７］前記決定論的なルールは、前記能力の第１の組み合わせと前記能力の第２の組み合わせとがシグナリングされた順序に基づいている［１６］記載の方法。
［１８］前記決定論的なルールは、前記能力の第１の組み合わせと前記能力の第２の組み合わせとがシグナリングされた順序とは無関係である、帯域組み合わせの順序付けされているリストに基づいている［１６］記載の方法。
［１９］使用する能力の組み合わせの表示を、前記ＵＥにシグナリングすることをさらに含む［１１］記載の方法。
［２０］前記ＢＳのシグナリングは、前記能力の第１の組み合わせ、または、前記能力の第２の組み合わせのいずれか以外の、能力の異なる組み合わせを示す［１９］記載の方法。
［２１］ユーザ機器（ＵＥ）によるワイヤレス通信のための装置において、
無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートする前記ＵＥの能力を決定する手段と、
帯域の組み合わせに対する、前記ＵＥの能力の第１の組み合わせを、前記ＲＡＮの基地局（ＢＳ）にシグナリングする手段と、
前記帯域の組み合わせに対する、前記能力の第１の組み合わせとは異なる、能力の第２の組み合わせを、前記ＢＳにシグナリングする手段と、
１つ以上の基準に基づいて、前記ＢＳと通信するのに使用する能力の特定の組み合わせを識別する手段とを具備する装置。
［２２］前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む［２１］記載の装置。
［２３］前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す［２２］記載の装置。
［２４］前記識別する手段は、前記能力の第１のセットと前記能力の第２のセットとのそれぞれにおける１つ以上の能力に対する、最小共通値を取る手段を備える［２１］記載の装置。
［２５］前記識別する手段は、前記能力の第１のセットと前記能力の第２のセットとのそれぞれにおける１つ以上の能力に対する、最大共通値を取る手段を備える［２１］記載の装置。
［２６］基地局（ＢＳ）によるワイヤレス通信のための装置において、
帯域の組み合わせに対する、無線アクセスネットワーク（ＲＡＮ）の異なる動作周波数帯域上での、複数入力複数出力（ＭＩＭＯ）機能またはマルチポイント協調（ＣｏＭＰ）機能のうちの少なくとも１つをサポートするユーザ機器（ＵＥ）の能力の、第１の組み合わせを示すシグナリングを、前記ＵＥから受信する手段と、
前記帯域の組み合わせに対する、前記能力の第１の組み合わせとは異なる、ＲＡＮの異なる動作周波数帯域上での、ＭＩＭＯ機能またはＣｏＭＰ機能のうちの少なくとも１つをサポートする前記ＵＥの能力の、第２の組み合わせを示すシグナリングを、前記ＵＥから受信する手段と、
１つ以上の基準に基づいて、前記ＵＥと通信するのに使用する能力の特定の組み合わせを識別する手段とを具備する装置。
［２７］前記能力は、ダウンリンクの受信に対してサポートされるＭＩＭＯレイヤの数、または、チャネルフィードバックに対してサポートされるチャネル状態情報（ＣＳＩ）処理の数、のうちの少なくとも１つを含む［２６］記載の装置。
［２８］前記能力の第１の組み合わせは、第１の帯域に対してサポートされる能力の第１のセットと、第２の帯域に対してサポートされる能力の第２のセットとを示し、
前記能力の第２の組み合わせは、前記第１の帯域に対する、前記能力の第１のセットとは異なる、能力の第３のセットと、前記第２の帯域に対する、前記能力の第２のセットとは異なる、能力の第４のセットとを示す［２７］記載の装置。
［２９］前記識別する手段は、前記能力の第１のセットと前記能力の第２のセットとのそれぞれにおける１つ以上の能力に対する、最小共通値を取る手段を備える［２６］記載の装置。
［３０］前記識別する手段は、前記能力の第１のセットと前記能力の第２のセットとのそれぞれにおける１つ以上の能力に対する、最大共通値を取る手段を備える［２６］記載の装置。
【図１】
0005932169.tif 000006
【図２】
0005932169.tif 000007
【図３】
0005932169.tif 000008
【図４】
0005932169.tif 000009
【図５】
0005932169.tif 000010
【図６】
0005932169.tif 000011